(57)【要約】【課題】携帯端末から録画予約した番組を簡単に携帯端末で視聴可能とする。【解決手段】番組の録画予約を指示操作すると、入力処理部１０３で録画予約された番組に対する録画予約データが作成される。このとき、携帯端末向けと指示すると、この録画予約データが携帯端末向けとなる。また、図示しない携帯端末から録画予約をすると、この携帯端末に対する録画予約データが信号処理部１０５で受信される。かかる録画予約データに基づいて、録画予約された放送番組が携帯端末向けに録画処理され、主記憶部１０４またはＨＤＤ１０７に記憶される。携帯端末向けのリムーバブルメディア１７０を録画機１００に装着すると、携帯端末向けに録画処理された録画番組データが主記憶部１０４またはＨＤＤ１０７から読み出され、メディア１７０に転送される。このメディア１７０を携帯端末に装着することにより、メディア１７０に保存された録画番組を視聴することができる。【選択図】図２
2007151042.tif 000002
【特許請求の範囲】
【請求項１】
放送番組を受信する受信手段と、
放送番組の録画予約を携帯端末向けに指定可能とする録画予約手段と、
該録画予約手段で録画予約された放送番組の放送時、該放送番組の録画が携帯端末向けに指定されているか否かを認識する認識手段と、
携帯端末向けの録画として録画予約された放送番組が該受信手段で受信されると、該認識手段の認識結果に応じて、該放送番組のデータを携帯端末に適したデータ形式で録画する録画手段と
を具備したことを特徴とする録画機。
【請求項２】
放送番組を受信する受信手段と、
放送番組の録画予約を携帯端末向けに指定可能とする録画予約手段と、
該録画予約手段で録画予約された放送番組の放送時、該放送番組の録画が携帯端末向けに指定されているか否かを認識する認識手段と、
携帯端末向けの録画として録画予約された放送番組が該受信手段で受信されると、該認識手段の認識結果に応じて、該放送番組のデータを携帯端末に適したデータ形式で録画する録画手段と、
該録画手段で記録された携帯端末向けの録画番組データを管理する録画データ管理手段と、
リムーバブルメディアが着脱可能に装着され、該リムーバブルメディアとの間でデータの読み書きを可能とするリムーバブルメディア制御手段と、
該リムーバブルメディアが該リムーバブルメディア制御手段に装着されると、該録画データ管理手段で管理される携帯端末に適したデータ形式の録画番組データを該リムーバブルメディアに転送するデータ転送手段と
を具備したことを特徴とする録画機。
【請求項３】
請求項２に記載の録画機において、
前記録画予約手段は、放送番組の録画を特定の携帯端末向けに指定可能とし、
前記録画データ管理手段は、前記録画手段で録画された特定の携帯端末向けの録画番組データを、該特定の携帯端末の識別情報を対応付けて管理し、
前記データ転送手段は、前記リムーバブルメディア制御手段に装着された前記リムーバブルメディアに記録されている特定の携帯端末の識別情報を読み出し、前記録画データ管理手段で管理している録画番組データのうち、前記該識別情報に対応する携帯端末向け録画データ管理手段で管理されるデータの内、リムーバブルメディアから読み出した識別情報と対応する識別情報の録画番組データのみを前記リムーバブルメディアに転送することを特徴とする録画機。
【請求項４】
放送番組を受信する第１の受信手段と、
携帯端末から放送番組の録画予約のための録画予約データを受信する第２の受信手段と、
携帯端末からの該録画予約データによって録画予約された放送番組の放送時、該放送番組の録画が携帯端末向けであることを認識する認識手段と、
携帯端末向けの録画として録画予約された放送番組が該第１の受信手段で受信されると、該認識手段の認識結果に応じて、該放送番組のデータを携帯端末に適したデータ形式で録画する録画手段と
を具備したことを特徴とする録画機。
【請求項５】
放送番組を受信する第１の受信手段と、
携帯端末から通信手段を介して送られてくる録画を予約するための録画予約データを受信する第２の受信手段と、
携帯端末からの該録画予約データによって録画予約された放送番組の放送時、該放送番組の録画が携帯端末向けであることを認識する認識手段と、
携帯端末向けの録画として録画予約された放送番組が該第１の受信手段で受信されると、該認識手段の認識結果に応じて、該放送番組のデータを携帯端末に適したデータ形式で録画する録画手段と、
該録画手段で記録された携帯端末向けの録画番組データを管理する録画データ管理手段と、
リムーバブルメディアが着脱可能に装着され、該リムーバブルメディアとの間でデータの読み書きを可能とするリムーバブルメディア制御手段と、
リムーバブルメディアが該リムーバブルメディア制御手段に装着されると、該録画データ管理手段で管理される携帯端末に適したデータ形式の録画番組データを該リムーバブルメディアに転送するデータ転送手段と
を具備したことを特徴とする録画機。
【請求項６】
請求項５に記載の録画機において、
前記第２の受信手段で受信される前記携帯端末からの録画予約データは前記携帯端末の識別情報を含み、
前記録画データ管理手段において、前記録画手段で録画された録画番組データと前記携帯端末の識別情報の対応付けを管理し、
前記データ転送手段は、前記リムーバブルメディアに記録されている前記携帯端末の識別情報を読み出し、前記携帯端末からの前記録画予約データに含まれる識別情報に対応する識別情報に対する録画番組データのみを前記リムーバブルメディアに転送することを特徴とする録画機。
【請求項７】
請求項２または５に記載の録画機において、
前記録画手段は、前記認識手段で携帯端末向けの録画と認識した放送番組を携帯端末に適したデータ形式で録画し、録画データ管理手段に登録することを特徴とする録画機。
【請求項８】
請求項７に記載の録画機において、
前記録画手段は、前記認識手段で携帯端末向けの録画と認識した放送番組をダイジェストで視聴を行なうためのダイジェストデータを作成して記録して、録画データ管理手段に登録し、
前記データ転送手段は、前記リムーバブルメディアが前記リムーバブルメディア制御部に装着されると、前記録画データ管理手段で管理される前記録画番組データ及び該ダイジェストデータを前記リムーバブルメディアに転送することを特徴とする録画機。
【請求項９】
請求項２，５，７，８のいずれか１つに記載の録画機において、
前記リムーバブルメディアに転送された前記録画番組データを管理する録画データ管理テーブルを記録するリムーバブルメディア用の録画データ管理手段を設け、
前記録画手段で記録された携帯向けの録画番組データを管理する録画データ管理手段と該リムーバブルメディア用の録画データ管理手段とは、繰り返し放送される繰り返し番組に対しては、同一の識別子を用いて識別できるようにし、
前記データ転送手段は、前記録画手段で記録された携帯向けの録画番組データを管理する録画データ管理手段で管理する録画番組データを前記リムーバブルメディアに転送する前に、該リムーバブルメディア用の録画データ管理手段に同一の識別子を有する録画番組データがあるか否かを判別し、識別子が同一とする判別結果の場合、前記リムーバブルメディア上に既に保存されている録画番組データを削除し、前記録画手段で記録された携帯向けの録画番組データを管理する録画データ管理手段で管理される識別子で特定される録画番組データを前記リムーバブルメディアに転送することを特徴とする録画機。
【請求項１０】
請求項１，３，４，６，７，８，９のいずれか１つに記載の録画機において、
前記録画手段は、録画機での再生に適した信号形式でも、携帯端末向けの録画として録画予約された放送番組を録画することを特徴とする録画機。
【請求項１１】
放送番組を受信する第１の受信手段と、
携帯端末から第１の通信手段を介して送られてくる録画を予約するための録画予約データを受信する第２の受信手段と、
携帯端末からの録画予約データによって録画予約されている放送番組の放送時、該放送番組の録画が携帯端末向けの録画であることを認識する認識手段と、
携帯端末向けの録画が指定された放送番組が該第１の受信手段で受信されると、該認識手段の認識結果に応じて、該放送番組のデータを携帯端末に適したデータ形式で録画し、録画データ管理手段に登録する録画手段と、
該録画手段で記録した携帯端末向けの録画番組データを管理する録画データ管理手段と、
携帯端末とデータの送受信を行なう第２の通信手段と、
該第２の通信手段を介して、携帯端末向け録画データ管理手段で管理される録画データを携帯端末に転送するデータ転送手段と
を具備したことを特徴とする録画機。
【請求項１２】
放送番組を受信する受信手段と、
リムーバブルメディアが着脱自在に装着され、該リムーバブルメディアとの間でデータの読み書きを可能とするリムーバブルメディア制御手段と、
該リムーバブルメディア制御手段に装着された該リムーバブルメディアに識別情報を書き込む書込手段と、
該書込手段によって該リムーバブルメディアに書き込まれた該識別情報を含む録画を予約するための録画予約データを作成し、または、携帯端末から受信する手段と、
該携帯端末からの録画予約データによって録画予約された放送番組の放送時、該放送番組の録画が携帯端末向けであることを認識する認識手段と、
携帯端末向けの録画が指定された放送番組が該受信手段で受信されると、該認識手段の認識結果に応じて、該放送番組のデータを携帯端末に適したデータ形式で録画する録画手段と、
該録画手段で記録された携帯端末向けの録画番組のデータを、該録画予約データに含まれるリムーバブルメディアの識別情報と関連づけて管理する録画データ管理手段と、
リムーバブルメディアが該リムーバブルメディア制御手段に装着されたとき、該書込手段によって該リムーバブルメディアに書き込まれた該識別情報を読み出し、該録画データ管理手段で管理される録画番組のデータの内の、該リムーバブルメディアから読み出された該識別情報と関連づけられている録画番組のデータのみを該リムーバブルメディアに転送するデータ転送手段と
を具備したことを特徴とする録画機。
【請求項１３】
携帯端末識別情報を保持した手段と、
録画機と通信する通信手段と、
該通信手段を介して、該録画機から各録画番組に関する録画管理データが登録された録画番組管理テーブルを取得する手段と、
該録画番組管理テーブルから該携帯端末識別情報に対応づけられた該録画管理データに対応する録画番組データを取得する手段と
を具備したことを特徴とする携帯端末。
【請求項１４】
請求項１３に記載の携帯端末において、
前記携帯端末識別情報を読み出し、前記録画機に放送番組の録画を予約するため情報及び前記携帯端末識別情報を含む番組予約データを作成する作成手段と、
該作成手段によって作成された該番組予約データを前記録画機に送信する通信手段と
を具備したことを特徴とする携帯端末。
【請求項１５】
リムーバブルメディアが着脱自在に装着され、該リムーバブルメディアとの間でデータの読み書きを可能とするリムーバブルメディア制御手段と、
該リムーバブルメディア制御手段に装着された該リムーバブルメディアから該リムーバブルメディアの識別情報を読み出し、放送番組の録画を予約するため情報及び該識別情報を含む番組予約データを作成する作成手段と、
該作成手段によって作成された番組予約データを録画機に送信する通信手段と
を具備したことを特徴とする携帯端末。
【発明の詳細な説明】
【技術分野】
【０００１】
本発明は、テレビ放送番組を録画する録画機、及び携帯電話などの携帯端末に関する。
【背景技術】
【０００２】
近年、ＶＣＲやＨＤＤレコーダなどの録画機の機能が高度化し、通信を介して、離れた場所からの録画の予約が可能となってきている。例えば、携帯電話などの携帯端末を用いて、家庭にあるＶＣＲやＨＤＤレコーダなどの録画機器に、録画を予約することができるようになってきている（例えば、特許文献１参照）。
【特許文献１】特開２００３−６１０２０
【発明の開示】
【発明が解決しようとする課題】
【０００３】
しかしながら、上記特許文献１に記載の技術では、携帯端末によって録画予約した番組はあくまで録画機用として録画されるものであり、携帯端末向けに録画されるものではない。このため、携帯端末から録画予約を行なった場合であっても、携帯端末で録画した番組を視聴するためには、データの変換や転送などの手順を実行する必要があり、ユーザの操作が煩雑であるという問題がある。
【０００４】
本発明の目的は、かかる問題を解消し、携帯端末から録画予約された放送番組を、ユーザによる煩雑な操作を必要とせずに、携帯端末で視聴可能とした録画機及び携帯端末を提供することにある。
【課題を解決するための手段】
【０００５】
上記目的を達成するために、本発明による録画機は、放送番組を受信する受信手段と、放送番組の録画予約を携帯端末向けに指定可能とする録画予約手段と、録画予約手段で録画予約された放送番組の放送時、放送番組の録画が携帯端末向けに指定されているか否かを認識する認識手段と、携帯端末向けの録画として録画予約された放送番組が受信手段で受信されると、認識手段の認識結果に応じて、放送番組のデータを携帯端末に適したデータ形式で録画する録画手段とを具備したことを特徴とするものである。
【０００６】
また、本発明による録画機は、放送番組を受信する受信手段と、放送番組の録画予約を携帯端末向けに指定可能とする録画予約手段と、録画予約手段で録画予約された放送番組の放送時、放送番組の録画が携帯端末向けに指定されているか否かを認識する認識手段と、携帯端末向けの録画として録画予約された放送番組が受信手段で受信されると、認識手段の認識結果に応じて、放送番組のデータを携帯端末に適したデータ形式で録画する録画手段と、該録画手段で記録された携帯端末向けの録画番組データを管理する録画データ管理手段と、リムーバブルメディアが着脱可能に装着され、リムーバブルメディアとの間でデータの読み書きを可能とするリムーバブルメディア制御手段と、リムーバブルメディアがリムーバブルメディア制御手段に装着されると、録画データ管理手段で管理される携帯端末に適したデータ形式の録画番組データをリムーバブルメディアに転送するデータ転送手段とを具備したことを特徴とするものである。
【０００７】
また、本発明による録画機は、録画予約手段が、放送番組の録画を特定の携帯端末向けに指定可能とし、録画データ管理手段が、録画手段で録画された特定の携帯端末向けの録画番組データを、特定の携帯端末の識別情報を対応付けて管理し、データ転送手段は、リムーバブルメディア制御手段に装着されたリムーバブルメディアに記録されている特定の携帯端末の識別情報を読み出し、録画データ管理手段で管理している録画番組データのうち、識別情報に対応する携帯端末向け録画データ管理手段で管理されるデータの内、リムーバブルメディアから読み出した識別情報と対応する識別情報の録画番組データのみをリムーバブルメディアに転送することを特徴とするものである。
【０００８】
また、本発明による録画機は、放送番組を受信する第１の受信手段と、携帯端末から放送番組の録画予約のための録画予約データを受信する第２の受信手段と、携帯端末からの録画予約データによって録画予約された放送番組の放送時、放送番組の録画が携帯端末向けであることを認識する認識手段と、携帯端末向けの録画として録画予約された放送番組が該第１の受信手段で受信されると、認識手段の認識結果に応じて、放送番組のデータを携帯端末に適したデータ形式で録画する録画手段とを具備したことを特徴とするものである。
【０００９】
また、本発明による録画機は、放送番組を受信する第１の受信手段と、携帯端末から通信手段を介して送られてくる録画を予約するための録画予約データを受信する第２の受信手段と、携帯端末からの録画予約データによって録画予約された放送番組の放送時、放送番組の録画が携帯端末向けであることを認識する認識手段と、携帯端末向けの録画として録画予約された放送番組が受信手段で受信されると、認識手段の認識結果に応じて、放送番組のデータを携帯端末に適したデータ形式で録画する録画手段と、録画手段で記録された携帯端末向けの録画番組データを管理する録画データ管理手段と、リムーバブルメディアが着脱可能に装着され、リムーバブルメディアとの間でデータの読み書きを可能とするリムーバブルメディア制御手段と、リムーバブルメディアがリムーバブルメディア制御手段に装着されると、録画データ管理手段で管理される携帯端末に適したデータ形式の録画番組データをリムーバブルメディアに転送するデータ転送手段とを具備したことを特徴とするものである。
【００１０】
また、本発明による録画機は、第２の受信手段で受信される携帯端末からの録画予約データは携帯端末の識別情報を含み、録画データ管理手段において、録画手段で録画された録画番組データと携帯端末の識別情報の対応付けを管理し、データ転送手段は、リムーバブルメディアに記録されている携帯端末の識別情報を読み出し、携帯端末からの録画予約データに含まれる識別情報に対応する識別情報に対する録画番組データのみをリムーバブルメディアに転送することを特徴とするものである。
【００１１】
また、本発明による録画機は、上記録画手段が、認識手段で携帯端末向けの録画と認識した放送番組を携帯端末に適したデータ形式で録画し、録画データ管理手段に登録することを特徴とするものである。
【００１２】
また、本発明による録画機は、上記録画手段が、認識手段で携帯端末向けの録画と認識した放送番組をダイジェストで視聴を行なうためのダイジェストデータを作成して記録して、録画データ管理手段に登録し、上記データ転送手段が、リムーバブルメディアがリムーバブルメディア制御部に装着されると、録画データ管理手段で管理される録画番組データ及びダイジェストデータをリムーバブルメディアに転送することを特徴とするものである。
【００１３】
また、本発明による録画機は、リムーバブルメディアに転送された録画番組データを管理する録画データ管理テーブルを記録するリムーバブルメディア用の録画データ管理手段を設け、録画手段で記録された携帯向けの録画番組データを管理する録画データ管理手段と該リムーバブルメディア用の録画データ管理手段とは、繰り返し放送される繰り返し番組に対しては、同一の識別子を用いて識別できるようにし、データ転送手段は、録画手段で記録された携帯向けの録画番組データを管理する録画データ管理手段で管理する録画番組データをリムーバブルメディアに転送する前に、リムーバブルメディア用の録画データ管理手段に同一の識別子を有する録画番組データがあるか否かを判別し、識別子が同一とする判別結果の場合、リムーバブルメディア上に既に保存されている録画番組データを削除し、録画手段で記録された携帯向けの録画番組データを管理する録画データ管理手段で管理される識別子で特定される録画番組データをリムーバブルメディアに転送することを特徴とするものである。
【００１４】
また、本発明による録画機は、上記録画手段が、録画機での再生に適した信号形式でも、携帯端末向けの録画として録画予約された放送番組を録画することを特徴とするものである。
【００１５】
また、本発明による録画機は、放送番組を受信する第１の受信手段と、携帯端末から第１の通信手段を介して送られてくる録画を予約するための録画予約データを受信する第２の受信手段と、携帯端末からの録画予約データによって録画予約されている放送番組の放送時、放送番組の録画が携帯端末向けの録画であることを認識する認識手段と、携帯端末向けの録画が指定された放送番組が第１の受信手段で受信されると、認識手段の認識結果に応じて、放送番組のデータを携帯端末に適したデータ形式で録画し、録画データ管理手段に登録する録画手段と、録画手段で記録した携帯端末向けの録画番組データを管理する録画データ管理手段と、携帯端末とデータの送受信を行なう第２の通信手段と、第２の通信手段を介して、携帯端末向け録画データ管理手段で管理される録画データを携帯端末に転送するデータ転送手段とを具備したことを特徴とするものである。
【００１６】
また、本発明による録画機は、放送番組を受信する受信手段と、リムーバブルメディアが着脱自在に装着され、リムーバブルメディアとの間でデータの読み書きを可能とするリムーバブルメディア制御手段と、リムーバブルメディア制御手段に装着されたリムーバブルメディアに識別情報を書き込む書込手段と、書込手段によってリムーバブルメディアに書き込まれた識別情報を含む録画を予約するための録画予約データを作成し、または、携帯端末から受信する手段と、携帯端末からの録画予約データによって録画予約された放送番組の放送時、放送番組の録画が携帯端末向けであることを認識する認識手段と、携帯端末向けの録画が指定された放送番組が該受信手段で受信されると、認識手段の認識結果に応じて、放送番組のデータを携帯端末に適したデータ形式で録画する録画手段と、録画手段で記録された携帯端末向けの録画番組のデータを、録画予約データに含まれるリムーバブルメディアの識別情報と関連づけて管理する録画データ管理手段と、リムーバブルメディアがリムーバブルメディア制御手段に装着されたとき、書込手段によってリムーバブルメディアに書き込まれた識別情報を読み出し、録画データ管理手段で管理される録画番組のデータの内の、リムーバブルメディアから読み出された識別情報と関連づけられている録画番組のデータのみをリムーバブルメディアに転送するデータ転送手段とを具備したことを特徴とするものである。  上記目的を達成するために、本発明による携帯端末は、携帯端末識別情報を保持した手段と、録画機と通信する通信手段と、通信手段を介して、録画機から各録画番組に関する録画管理データが登録された録画番組管理テーブルを取得する手段と、録画番組管理テーブルから携帯端末識別情報に対応づけられた録画管理データに対応する録画番組データを取得する手段とを具備したことを特徴とするものである。
【００１７】
また、本発明による携帯端末は、携帯端末識別情報を読み出し、録画機に放送番組の録画を予約するため情報及び携帯端末識別情報を含む番組予約データを作成する作成手段と、作成手段によって作成された番組予約データを録画機に送信する通信手段とを具備したことを特徴とするものである。
【００１８】
また、本発明による携帯端末は、リムーバブルメディアが着脱自在に装着され、リムーバブルメディアとの間でデータの読み書きを可能とするリムーバブルメディア制御手段と、リムーバブルメディア制御手段に装着されたリムーバブルメディアからリムーバブルメディアの識別情報を読み出し、放送番組の録画を予約するため情報及び識別情報を含む番組予約データを作成する作成手段と、作成手段によって作成された番組予約データを録画機に送信する通信手段とを具備したことを特徴とするものである。
【発明の効果】
【００１９】
本発明によれば、携帯端末から録画予約した番組は携帯端末向けである旨を識別した上で録画・管理されるため、ユーザは携帯端末用のリムーバブルメディアを録画機に差し込むだけで、携帯端末から録画予約した番組をリムーバブルメディアに転送することができる。
【００２０】
また、本発明によれば、録画機と携帯端末の双方に、有線／無線でデータの送受信を行なう通信手段を設けることにより、リムーバブルメディアを介さなくても、携帯端末用に録画したデータを携帯端末に転送することができる。
【００２１】
以上のように、本発明では、ユーザの操作がデータの変換、転送といった操作を行なうことなく、簡単に携帯端末用に録画したデータを携帯端末に転送して視聴することが可能となる。
【発明を実施するための最良の形態】
【００２２】
以下、本発明の実施形態を図面を用いて説明する。
【００２３】
図１は本発明による録画機及び携帯端末を用いたシステムの概要構成を示す図であって、１００は本発明による録画機、１２０はインターネット、１３０は携帯電話通信網、１４０はアンテナ、１５０は放送送出設備、１６０は本発明による携帯端末、１７０はリムーバブルメディア（着脱可能なメディア）である。
【００２４】
同図において、例えば、家庭内に設置された録画機１００は、放送送出設備１５０から送信されてアンテナ１４０によって受信される放送番組を録画することができるし、また、インターネット１２０と接続されており、このインターネット１２０を介して他の機器と通信できる。
【００２５】
また、携帯電話などの携帯端末１６０は、携帯電話通信網１３０を介して他の携帯端末との間で通信可能であるが、携帯電話通信網１３０がインターネット１２０に接続されていることにより、録画機１００との間でも、通信が可能である。これにより、携帯端末１６０から録画機１００での放送番組の録画予約を設定することができる。さらに、例えば、ＳＤカードなどのリムーバブルメディア１７０は携帯端末１６０でも、また、録画機１００でも、着脱可能であって使用することができ、このリムーバブルメディア１７０によって録画機１００と携帯端末１６０との間のデータの受け渡しを行なうことができる。
【００２６】
図２は図１における本発明による録画機１００の第１の実施形態を示すブロック構成図であって、１０１はＣＰＵ、１０２はチューナ部、１０３は入力処理部、１０４は主記憶部、１０５は通信処理部、１０６は表示処理部、１０７は大容量記録メディア（ＨＤＤなど）、１０８はリムーバブルメディア制御部、１０９はチューナ部であり、図１に対応する部分には同一符号を付けている。
【００２７】
同図において、ＣＰＵ１０１は、周辺部の制御やデータの処理，通信に関わる各種プログラムの実行を行なう。チューナ部１０２は、アンテナ１４０を介して放送波の受信を行なう。入力処理部１０３は、例えば、リモコンなどからのユーザの操作入力を受け付けて処理を行なう。主記憶部１０４は、例えば、ＲＡＭ，フラッシュＲＯＭなどであり、放送番組の番組情報などを記憶する。通信処理部１０５は、例えば、イーサネット（登録商標）であって、録画機１００がこの通信処理部１０５を介してインターネット１２０に接続されている。表示処理部１０６は、例えば、外部に接続されたＴＶ受像機やＬＣＤ（Liquid  Crystal  Device）などのディスプレイに出力するための信号を処理する部分である。なお、ＴＶやＬＣＤなどのディスプレイは録画機１００と一体になっていてもよい。大容量記録メディア１０７は、例えば、ハードディスクであり、録画番組などが記録される。以下では、これをＨＤＤ１０７として説明する。リムーバブルメディア制御部１０８は、例えば、ＳＤカードなどのリムーバブルメディア１７０の読み書きを制御する部分である。
【００２８】
なお、ここでは、さらに他のチューナ部１０９が設けられているが、このチューナ部１０９は必ずしも必要ではない。しかし、このチューナ１０９が設けられている場合には、チューナ部１０２とチューナ部１０９とにより、別々のチャンネルの放送番組を同時に受信することができる。
【００２９】
この第１の実施形態の録画機１００では、図示しないリモコンなどの操作により、放送番組の録画予約をすることができるが、この録画機１００とインターネット１２０を介して通信可能な携帯端末１６０（図１）からも録画予約をすることができる。録画機１００で録画予約する場合には、リモコンなどによって録画予約の操作がなされると、その操作データは入力処理部１０３に入力されて処理され、後述の録画予約データが作成される。この録画予約データは主記憶部１０４に記録されている後述の録画予約管理テーブルに登録される。また、携帯端末１６０で録画予約がなされた場合には、この携帯端末１６０で作成された録画予約データが携帯電話通信網１３０（図１）とインターネット１２０を介して録画機１００に送られ、録画機１００では、通信処理部１０５で受信されて処理され、主記憶部１０４に記録されている後述の録画予約管理テーブルに登録される。ＣＰＵ１０１は、このようにして録画予約管理テーブルに登録された録画予約データを用いて放送番組を監視しており、放送番組が録画予約番組である場合には、これをチューナ部１０２、あるいはチューナ部１０９も備えている場合には、チューナ部１０２，１０９のいずれか一方または両方で録画予約番組を受信させ、主記憶部１０４またはＨＤＤ１０７に記憶させる。
【００３０】
ここで、携帯端末１６０から録画予約する場合には、録画機１００では、この携帯端末１６０からこの携帯端末１６０を指定した録画予約データ（これには、後述のこの携帯端末１６０の識別子としての機器ＩＤが付加されている）が送られてくることにより、少なくともこの録画予約された放送番組が携帯端末１６０で視聴可能な信号形式（例えば、ＭＰＥＧ４規格に準拠した信号形式）で録画される。また、録画機１００で録画予約する場合には、録画機１００では、この録画予約された放送番組がこの録画機１００で視聴可能な信号形式（例えば、ＭＰＥＧ２規格に準拠した信号形式）で録画されるが、録画予約を行なうとき、携帯端末１６０も指定することにより、この携帯端末１６０で録画予約されたのと同様の録画予約データが作成され、これにより、この録画予約された放送番組が携帯端末１６０で視聴可能な信号形式でも録画される。
【００３１】
以上のような録画予約データをもとに録画された放送番組（録画番組）は、少なくとも指定された（あるいは、録画予約操作を行なった）携帯端末１６０が利用可能な（即ち、再生可能な）信号形式のデータで主記憶部１０４またはＨＤＤ１０７に録画されるが、この携帯端末１６０が利用可能な（即ち、再生可能な）信号形式で録画されている録画番組には、この携帯端末１６０の機器ＩＤも対応付けられている。
【００３２】
また、かかる携帯端末１６０に使用されるリムーバブルメディア１７０にも、これが使用されるこの携帯端末１６０の機器ＩＤが登録されている。そこで、このリムーバブルメディア１７０をこの録画機１００に装着すると、リムーバブルメディア制御部１０８がこのリムーバブルメディア１７０から機器ＩＤを読み取り、ＣＰＵ１０１に送る。ＣＰＵ１０１は、この機器ＩＤが付加されている録画番組が存在するか否かを判定し、存在すれば、その録画番組データを主記憶部１０４またはＨＤＤ１０７から読み取り、リムーバブルメディア制御１０８に送ってリムーバブルメディア１７０に転送させる。
【００３３】
このように、携帯端末１６０から録画機１００に録画予約することにより、あるいはまた、録画機１００で携帯端末１６０を指定して録画予約することにより、その録画予約された番組データが主記憶部１０４またはＨＤＤ１０７にこの携帯端末１６０で利用可能に録画され、この携帯端末１６０で使用されるリムーバブルメディア１７０を録画機１００に装着するだけで、あるいはさらにリモコンの操作を必要としても、簡単な操作をするだけで、この録画番組データがこのリムーバブルメディア１７０に転送されることになり、リムーバブルメディア１７０を利用してこの録画番組を携帯端末１６０で再生することができる。
【００３４】
図３は図１における本発明による録画機１００の第２の実施形態を示すブロック構成図であって、１１０は無線ＬＡＮ通信制御部であり、図２に対応する部分には同一符号を付けて重複する説明を省略する。
【００３５】
同図において、この第２の実施形態は、図２に示す第１の実施形態に無線ＬＡＮ通信制御部１１０が追加されたものである。この無線ＬＡＮ通信制御部１１０は、無線ＬＡＮによる通信機能を備えた携帯端末１６０と通信を行なうためのものであり、携帯端末１６０との間で近距離通信を可能とするものである。この無線ＬＡＮによると、録画機１００の主記憶部１０４あるいはＨＤＤ１０７に記録された携帯端末向けの（即ち、携帯端末１６０で再生可能なデータ形式の）録画番組データを、この無線ＬＡＮで、録画機１００から携帯端末１６０に直接に転送することができる。
【００３６】
このように、この第２の実施形態の録画機１００では、無線ＬＡＮで通信可能な近距離の場合、携帯端末１６０用に録画処理された番組データを、リムーバブルメディア１７０によらずに、携帯端末１６０からの指令により、この携帯端末１６０に送信することができ、録画機１００での録画番組を携帯端末１６０に取り込むのに、ユーザはこの録画機１００の所まで行く必要がなく、その分手間が省けることになる。
【００３７】
なお、この第２の実施形態は、携帯端末１６０との近距離での通信に無線ＬＡＮを使用した場合を示すものであるが、無線ＬＡＮの代わりに、Bluetoothなどの無線通信手段を用いるようにしてもよい。
【００３８】
図４は図１における本発明による携帯端末１６０の第１の実施形態を示すブロック構成図であって、１６１はＣＰＵ、１６２は入力処理部、１６３は表示処理部、１６４は主記憶部、１６５は外部記憶部、１６６は無線ＬＡＮ制御部、１６７は通信処理部であり、図１に対応する部分には同一符号を付けている。
【００３９】
同図において、ＣＰＵ１６１は、周辺部の制御やデータの処理，通信に関わる各種プログラムの実行を行なう。入力処理部１６２は、例えば、テンキーなどの操作部（図示せず）からのユーザの操作入力を受け付け、処理を行なう。表示処理部１６３は、例えば、ＬＣＤ（Liquid  Crystal  Device）ディスプレイ及びＬＣＤディスプレイのための信号処理部からなる。主記憶部１６４は、例えば、ＲＡＭやフラッシュＲＯＭなどであり、この携帯端末１６０の識別子や各種データを保存するために使用される。外部記憶部１６５は、リムーバブルメディアやハードディスクなどのメディアの記録再生を行なうものであって、主に容量が大きいデータの記録・保存に使用される。無線ＬＡＮ制御部１６６は、図３に示した無線ＬＡＮによる通信機能を備えた録画機１００と通信を行なうためのものである。通信処理部１６７は、例えば、携帯電話通信網１３０を介して携帯電話の通信制御を実行する部分である。携帯端末１６０は、通信処理部１６７を制御することにより、携帯電話通信網１３０及びインターネット１２０（図１）を介して、録画機１００と通信を行なうことができる。
【００４０】
録画機１００に所望の放送番組の録画を予約させる場合には、上記のテンキーなどの操作部を操作して録画予約する。この操作情報は入力処理部１６２から入力されて処理され、後述の録画予約データが作成される。この録画予約データは、通信処理部１６７から携帯電話通信網１３０を介して送信され、図２，図３で示す録画機１００に送られる。録画機１００では、受信した録画予約データを主記憶部１０４に記録されている後述の録画予約管理テーブルに登録される。この録画予約管理テーブルに登録されている録画予約データに基づいて、録画予約番組の録画が行なわれる。
【００４１】
また、図２，図３で示す録画機１００から上記のようにして録画番組データが転送されて保存されたリムーバブルメディア１７０を外部記憶部１６５に装着することにより、この録画番組データをこのリムーバブルメディア１７０から再生することができ、これを表示処理部１６３を介してディスプレイ（図示せず）に表示させることができる。
【００４２】
録画機１００から近距離の位置にあるときには、無線ＬＡＮ通信制御部１６６を用いることにより、録画機１００から直接通信してこの録画番組データを取り込むことができる。この取り込んだ録画番組データは、主記憶部１６４あるいは外部記憶部１６５のリムーバブルメディアやハードディスクなどに記録される。
【００４３】
なお、この携帯端末１６０では、録画機１００などとの近距離通信に無線ＬＡＮを使用するものとしたが、かかる無線通信手段は必ずしも必要なものではないし、また、無線ＬＡＮの代わりに、Bluetoothなどの無線通信手段を用いるようにしてもよい。
【００４４】
図５は録画機１００や携帯端末１６０で作成される録画予約データの一具体例を示す図である。
【００４５】
同図において、録画予約データ２１０は、機器ＩＤ２１１と番組情報２１２と開始日時情報２１３と終了日時情報２１４と繰り返し情報２１５と信号形式情報２１６で構成されている。
【００４６】
機器ＩＤ２１１は、この録画予約データ２１０が携帯端末１６０から送信されたものであるときには、この携帯端末１６０の識別子であり、また、この録画予約データ２１０が録画機１００での録画予約操作によって作成されたものであるときには、この録画予約時に指定した携帯端末１６０の識別子である。かかる識別子としては、この携帯端末１６０が携帯電話である場合には、例えば、電話番号が、それ以外の場合には、この携帯端末１６０固有のシリアル番号などが用いられる。
【００４７】
番組情報２１２は、放送チャンネルや番組の識別子，番組のタイトルなどの情報であるが、必須ではない。開始日時情報２１３は、録画を開始する日時を特定するための情報である。終了日時情報２１４は、録画を終了させる日時を特定するための情報である。繰り返し情報２１５は、録画の繰り返しを行なうか否か、また、行なう場合の繰り返し周期に関する情報である。繰り返し情報２１５は、例えば、「繰り返しなし」，「毎日」，「毎週」，「月〜金」などである。信号形式情報２１６は、録画番組の記録フォーマットを指定するものであり、記録フォーマットとしては、例えば、携帯端末１６０用として、「SD-Video形式」などであり、その信号形式としては、例えば、上記のように、ＭＰＥＧ４規格が用いられる。
【００４８】
図６は図４に示す携帯端末１６０での録画予約するための画面（録画予約画面）の一具体例を示す図であって、３００は録画予約画面、３０１はチャンネル入力欄、３０２は開始時刻入力欄、３０３は終了時刻入力欄、３０４は繰り返し選択欄、３０５は送信ボタンである。
【００４９】
図４に示す携帯端末１６０から図２または図３に示す録画機１００で所望の放送番組を録画予約する場合、携帯端末１６０の操作部で録画予約のための操作をすると、表示処理部１６３によってディスプレイに録画予約情報を入力するための図６に示す録画予約画面３００が表示される。
【００５０】
この録画予約画面３００には、録画予約する放送番組の番組情報としてのチャンネル名を入力するためのチャンネル入力欄３０１と、この録画予約する放送番組の録画開始（通常は放送開始）日時を入力するための開始時刻入力欄３０２と、この録画予約する放送番組の録画終了（通常は放送終了）日時を入力するための終了時刻入力欄３０３と、繰り返し選択欄３０４と、送信ボタン３０５とが設けられている。繰り返し選択欄３０４は、毎日同じ時間帯に放送される同じ番組や毎週同じ曜日の同じ時間帯に放送される同じ番組を、それが放送される毎に録画すること（これを、以下、繰り返し録画という）を指示するためのものである。ここでは、選択項目として、繰り返し録画を行なわない項目「なし」と、毎日同じ時間帯に放送される同じ番組について繰り返し録画を指示するための項目「毎日」と、毎週同じ曜日の同じ時間帯に放送される同じ番組について繰り返し録画を指示するための項目「毎週」とが設けられている。
【００５１】
ユーザが希望の放送番組を録画予約する場合には、携帯端末１６０の操作部を操作することにより、ディスプレイに録画予約画面３００を表示させ、そのチャンネル入力欄３０１にこの録画希望の放送番組のチャンネル名を入力し、開始時刻入力欄３０２にこの録画希望の放送番組の放送開始日時を入力し、終了時刻入力欄３０３にこの録画希望の放送番組の放送終了日時を入力し、繰り返し選択欄３０４で項目「なし」，「毎日」，「毎週」のいずれかを選択する。なお、この繰り返し選択欄３０４では、デフォルトとして、項目「なし」が選択されている。
【００５２】
以上の入力，選択操作が終了し、送信ボタン３０５を操作すると、以上の入力・選択情報が、図４において、入力処理部１６２で処理されて図５に示す録画予約データ２１０が作成される。この録画予約データ２１０では、機器ＩＤ２１１と番組情報２１２が録画予約画面３００のチャンネル入力欄３０１に入力されたチャンネル名であり、開始日時情報２１３が録画予約画面３００の開始時刻入力欄３０２に入力された放送開始日時であり、終了日時情報２１４が録画予約画面３００の終了時刻入力欄３０３から入力された放送終了日時であり、繰り返し情報２１５が録画予約画面３００の繰り返し選択欄３０４で選択された項目である。機器ＩＤ２１１と信号形式情報２１６とは、録画予約データ２１０に自動的に付加される。このように作成された録画予約データ２１０は、通信処理部１６７から図２または図３に示す録画機１００に送信される。録画機１００では、これが受信されると、主記憶部１０４（図２，図３）に記録されている録画予約管理テーブルに登録され、この登録された録画予約データ２１０に基づいて録画が行なわれる。
【００５３】
図７は図２または図３に示す録画機１００での録画予約方法の一具体例を示す図であって、３５０はＥＰＧ（電子番組表）画面、３６０は録画予約画面、３６１は番組情報入力、３６２は開始時刻入力欄、３６３は終了時刻入力欄、３６４は繰り返し選択欄、３６５は対象機器情報入力欄、３６６はデータ形式入力欄、３６７は予約ボタンである。
【００５４】
図２または図３に示す録画機１００において、リモコンなどによって録画予約のための操作をすると、まず、表示処理部１０６によってディスプレイ（図示せず）に、図７（ａ）に示すように、ＥＰＧ画面３５０が表示される。このＥＰＧ画面３５０で録画を希望する放送番組を指定すると、録画予約情報を入力するための図７（ｂ）に示す録画予約画面３６０がディスプレイに表示される。
【００５５】
この録画予約画面３６０では、録画予約する放送番組の番組名やチャンネル名を入力するための番組情報入力欄３６１と、この録画予約する放送番組の録画開始（通常、放送開始）となる日時を入力するための開始時刻入力欄３６２と、この録画予約する放送番組の録画終了（通常、放送終了）となる日時を入力するための終了時刻入力欄３６３と、定期的に放送される番組である場合での放送される毎に録画するか否かを指定するための繰り返し選択欄３６４と、録画予約する放送番組を利用する機器、即ち、携帯端末１６０を指定するための対象機器情報入力欄３６５と、録画予約する放送番組の録画時の信号形式を指定するためのデータ形式入力欄３６６と、録画予約を指示するための予約ボタン３６７とが設けられている。
【００５６】
図７（ａ）に示すようなＥＰＧ画面３５０で録画予約する放送番組を指定した場合には、図７（ｂ）に示す録画予約画面３６０では、番組情報入力欄３６１と開始時刻入力欄３６２と終了時刻入力欄３６３とにＥＰＧ画面３５０で指定した放送番組に応じた情報が自動的に入力されている。繰り返し選択欄３６４は、図６に示す録画予約画面３００での繰り返し選択欄３０４と同様であって、選択項目「なし」，「毎日」，「毎週」が設けられており、一回だけの録画や、定期的に放送される番組に対しては、毎日同じ時間帯の番組の録画や毎週同じ曜日の同じ時間帯の番組の録画を選択できる。
【００５７】
この録画予約する放送番組を携帯端末１６０で再生可能とするためには、対象機器情報入力欄３６５にこの携帯端末１６０を指定するための機器情報を入力する。かかる機器情報としては、電話番号や携帯端末固有のシリアル番号を用いることができる。録画機１００用の番組録画を予約する場合には、対象機器情報入力欄３６５に機器情報を入力する必要はない。なお、この対象機器情報入力欄３６５の端に設けられたマーク３６５ａを選択（クリック）することにより、機器情報の一覧が表示され、その中から所望とする機器の機器情報を選択することにより、対象機器情報入力欄３６５に機器情報を入力することもできる。
【００５８】
録画予約する放送番組を携帯端末１６０で再生可能とするためには、さらに、データ形式入力欄３６６に録画番組の信号形式を指定するためのデータ形式情報を入力する。リムーバブルメディア１７０としてＳＤカードを用いる場合には、例えば、「SD-Video形式」を入力する。このデータ形式入力欄３６６も、録画機１００用の番組録画を予約する場合には、データ形式情報を入力する必要がないし、また、このデータ形式入力欄３６６の端に設けられたマーク３６６ａを選択（クリック）することにより、データ形式情報の一覧が表示され、その中から所望とする機器のデータ形式情報を選択することにより、データ形式入力欄３６６にデータ形式情報を入力することもできる。
【００５９】
以上のようにして、録画予約画面３６０での各欄の情報入力が終了し、予約ボタン３６７が操作されると、以上の入力・選択情報が入力処理部１０３に入力されて処理され、図５に示す録画予約データ２１０が作成される。この録画予約データ２１０は諸記憶部１０４に記憶されている録画予約管理テーブルに登録される。
【００６０】
ここで、図７（ｂ）における録画予約画面３６０で対象機器情報入力欄３６５やデータ形式入力欄３６６で情報の入力がなされないときには、図５に示す録画予約データ２１０では、機器ＩＤ２１１やデータ信号形式情報２１６は付加されない。このように機器ＩＤ２１１と信号形式情報２１６が付加されない録画予約データは、録画機１００用に録画予約番組を録画するものである。
【００６１】
なお、図７（ｂ）における録画予約画面３６０での番組情報入力欄３６１と開始時刻入力欄３６２と終了時刻入力欄３６３では、ＥＰＧ画面３５０（図７（ａ））によらず、操作部の操作によって直接情報入力することもできる。
【００６２】
図８は以上のようにして携帯端末１６０と録画機１００で作成された録画予約データ２１０が登録される録画予約管理テーブル２２０の一具体例を模式的に示す図である。
【００６３】
同図において、録画予約管理テーブル２２０は、携帯端末１６０と録画機１００で作成された録画予約データ２１０が登録されるものであって、登録された録画予約データ２１０毎に、それを識別するための識別子としてのＩＤ２２１が付与される。このＩＤ２２１は録画予約番組毎に重ならない数値で表わされるものであるが、例えば、連続ドラマなどのように、定期的に放映されるものであって、録画予約画面３００（図６）の繰り返し選択欄３０４や録画予約画面３６０（図７（ｂ））の繰り返し選択欄３６４で項目「毎日」や「毎週」を選択して放送されるたびに繰り返し録画するように予約された番組に対しては、全て同じＩＤ２２１が用いられることになる。但し、このような繰り返し録画が指定された番組は、繰り返し情報２１５（図５）を「毎日」あるいは「毎週」などといった繰り替え録画が指定された１つの録画予約データ２１０によってまとめられている。
【００６４】
図２，図３において、録画機１００は、この録画管理テーブル２５０に登録されている録画予約データ２１０の情報に基づいて、録画予約番組の録画を行なう。録画番組データは主記憶部１０４またはＨＤＤ１０７に記録されるが、このように記録された録画番組は管理される。
【００６５】
図９は録画機１００で録画した放送番組（録画番組）を管理するための録画番組管理テーブルの一具体例を示す図である。
【００６６】
同図において、録画番組管理テーブル２３０は、録画管理データ２４０ａ，２４０ｂ，……（以下、これらを総称して、録画管理データ２４０という）が登録されたものであって、各録画管理データ２４０は、録画番組毎に設定され、録画番組を管理するものであって、ＩＤ２４１と機器ＩＤ２４２とコンテンツ２４３とダイジェスト２４４と更新日時２４５と状態２４６とで構成する。
【００６７】
ＩＤ２４１は、録画管理データ２４０を識別するための識別子であり、録画予約管理テーブル２２０（図８）でのＩＤ２２１が転写されたものである。従って、例えば、連続ドラマなどのように、定期的に放送されるものであって、録画予約画面３００（図６）の繰り返し選択欄３０４や録画予約画面３６０（図７（ｂ））の繰り返し選択欄３６４で項目「毎日」や「毎週」を選択して放送されるたびに繰り返し録画するように予約された番組に対するＩＤ２４１は全て同じである。
【００６８】
機器ＩＤ２４２は、携帯端末１６０の識別子であって、例えば、電話番号や携帯端末固有のシリアル番号が用いられる。コンテンツ２４３は、録画管理データ２４０で管理される録画番組の識別子であり、例えば、そのファイル名である。ダイジェスト２４４は、コンテンツ２４３で特定される録画番組をダイジェストで視聴するための情報（以下、ダイジェストデータという）の識別子であり、例えば、ダイジェストデータを格納したファイルのファイル名である。なお、ダイジェストデータが存在しない場合には、ダイジェスト２４４も保存しない。更新日時２４５は、コンテンツ２４３で特定される録画番組を更新した日付である。状態２４６は、携帯端末１６０への転送／未転送を管理するための状態データであり、例えば、「転送済み」，「未転送」などである。
【００６９】
次に、本発明の実施形態である録画機１００や携帯端末１６０の録画予約に伴う処理について説明する。
【００７０】
図１０は図２，図３に示す録画機１００が実行する録画処理の一具体例を示すフローチャートである。
【００７１】
同図において、この録画処理４００は、録画予約管理テーブル２２０に登録されている録画予約データ２１０（図５）に基づいて実行される。つまり、録画機１００は、現在時刻が録画予約管理テーブル２２０に登録されている録画予約データ２１０の開始日時情報２１３による開始時刻に達すると、あるいはこの開始日時情報２１３による開始時刻よりも若干早い時刻（例えば、１分前）になると、録画処理４００を実行する。録画予約データ２１０が複数録画予約管理テーブル２２０に登録されている場合は、現在時刻がいずれかの録画予約データ２１０の開始日時情報２１３による開始時刻に達すると、あるいはこの開始日時情報２１３による開始時刻よりも若干早い時刻（例えば１分前）になったと、この録画予約データ２１０に対する録画予約番組の録画処理４００を実行する。
【００７２】
録画処理４００が実行開始すると、まず、録画予約データ２１０（図５）に機器ＩＤ２１１が設定されているか否かを判定する（ステップ４０１）。なお、ここでは、機器ＩＤ２１１が設定されている場合、予約されている録画が携帯端末向けの録画であるものと判定する。機器ＩＤ２１１が設定されていると判定した場合には、携帯端末向けの録画処理を実行し（ステップ４０３）、機器ＩＤ２１１が設定されていない場合には、この録画機１００で再生するための録画機用の録画処理を実行する（ステップ４０２）。
【００７３】
かかる録画処理４００では、以上のように、携帯端末１６０用に録画処理を実行するときには、録画機１００用の録画処理を行なわず、録画機１００用に録画処理を実行するときには、携帯端末１６０用の録画処理を行なわない。従って、録画予約によって録画されたいずれの放送番組も、録画機１００用，携帯端末１６０用のいずれかで主記憶部１０４またはＨＤＤ１０７に記録保存されることになる。
【００７４】
図１１は図２，図３に示す録画機１００が実行する録画処理の他の具体例を示すフローチャートである。
【００７５】
同図において、この録画処理４１０も、録画予約管理テーブル２２０に登録されている録画予約データ２１０（図５）に基づいて実行され、図１０に示す録画処理４００と同様の時刻になると、実行を開始する。
【００７６】
録画処理４１０が実行開始すると、まず、録画機１００はそれ自身用の、即ち、録画機用の録画処理（通常録画処理）を開始する（ステップ４１１）。次に、録画予約データ２１０に機器ＩＤ２１１が設定されているか否かを判定する（ステップ４１２）。機器ＩＤ２１１が設定されていると判定した場合には、通常録画処理をそのまま継続するとともに、携帯端末向けの録画処理を実行開始し（ステップ４１３）、機器ＩＤ２１１が設定されていない場合には、携帯端末向けの録画処理を開始せず、この録画機１００で再生するための録画機用の録画処理のみを実行する（ステップ４０２）。
【００７７】
この録画処理４１０は、録画予約されていると、必ず録画機１００のための録画が行なわれ、携帯端末１６０用に録画予約されているときには、この録画機用の録画処理に加え、さらに、携帯端末向けの録画処理を行なうものである。このため、この場合の録画機１００としては、図２，図３に示すように、２つのチューナ部１０２，１０９を備えたものであり、録画機用の録画処理と携帯端末向けの録画処理とを同時に行なう場合には、これらチューナ部１０２，１０９双方で同時に同じ録画予約されている放送番組を受信し、これら受信番組の一方に録画機用の録画処理を施して主記憶部１０４またはＨＤＤ１０７に記録し、他方に携帯端末向けの録画処理を施して主記憶部１０４またはＨＤＤ１０７に記録する。このようにして、この具体例では、録画予約された放送番組は全て録画機１００で再生可能な信号形式で録画され、そのうちの携帯端末向けとして指定された（即ち、録画予約データ（図５）で機器ＩＤ２１１が設定された）放送番組は、携帯端末１６０でも再生可能に、携帯端末向けの録画処理がなされて録画されることになる。
【００７８】
図１２は図１０におけるステップ４０３や図１１におけるステップ４１３の一具体例を示すフローチャートであって、この具体例を携帯用録画処理４２０として示している。
【００７９】
同図において、携帯端末用録画処理４２０では、まず、録画機１００用の録画処理と同様の通常録画処理で受信番組の録画処理を行ない、これを主記憶部１０４またはＨＤＤ１０７に記録する（ステップ４２１）。この録画処理は、録画予約データ２１０（図５）での終了日時情報２１４によるこの録画予約番組の終了時刻が過ぎるまで実行する。これにより、この録画予約番組全体が主記憶部１０４またはＨＤＤ１０７に録画される。
【００８０】
次に、このようにして録画機用に録画処理されて記録された録画番組データが主記憶部１０４またはＨＤＤ１０７から読み出され、録画予約データ２１０の信号形式情報２１６で特定される信号形式（フォーマット）に変換処理される（ステップ４２２）。例えば、録画機用の録画処理によって番組データがＭＰＥＧ２規格の信号形式で録画され、信号形式情報２１６で信号形式として「SD-Video」が指定されている場合には、このＭＰＥＧ２規格の信号形式の録画番組データがＭＰＥＧ４規格の信号形式の録画番組データに変換される。また、必要に応じて、データサイズの変換も行なわれる。携帯端末向けの信号形式に変換された録画番組データは、主記憶部１０４またはＨＤＤ１０７に記録される。
【００８１】
録画番組データのかかる信号形式の変換が終了すると、次に、この録画番組データを基にダイジェストデータが作成される（ステップ４２３）。このダイジェストデータも、主記憶部１０４またはＨＤＤ１０７に記録される。なお、ダイジェストデータの作成方法に関しては、既にいくつかの方式が提案されているため、ここでは、詳細な説明を省略する。
【００８２】
最後に、録画番組管理テーブル２３０の更新を行なう（ステップ４２４）。この更新では、録画処理が実行された上記の番組の録画予約データ２１０に付与された録画予約管理テーブル２２０（図８）でのＩＤ２２１と一致するＩＤ２４１が録画番組管理テーブル２３０に登録されているかどうかをチェックし、登録されていれば、このＩＤ２２１と一致するＩＤ２４１の録画管理データ２４０に録画処理が実行された上記の番組の録画管理データ２４０を上書き更新し、登録する。登録されていなければ、録画処理が実行された上記の番組の録画管理データ２４０を録画番組管理テーブル２３０に追加更新し、登録する。
【００８３】
この上書き，追加のいずれの更新においても、録画番組管理テーブル２３０において、ＩＤ２４１としては、録画予約管理テーブル２２０でのＩＤ２２１を登録する。機器ＩＤ２４２としては、実行中の録画予約データ２１０の機器ＩＤ２１１を、コンテンツ２４３としては、図１２のステップ４２２で作成した携帯端末向けの録画処理がなされた録画番組のファイルのファイル名を、ダイジェスト２４４としては、図１２のステップ４２３で作成したダイジェストデータのファイル名を、更新日時２４５としては、録画処理がなされた現時点での日時を、状態２４６としては、「未転送」を夫々保存するようにする。但し、上書き更新の場合、ＩＤ２４１は、上書きせずに、そのまま用いることもできる。
【００８４】
以上の携帯端末用録画処理４２０では、録画機１００用の録画処理で放送番組を始めから終わりまで録画し、しかる後、この録画番組データを携帯端末１６０用の信号形式にフォーマット変換して録画するものであったが、録画予約の放送番組を受信しながら逐次携帯端末１６０用の信号形式にフォーマット変換（即ち、携帯端末向けの録画処理）するようにしてもよい。
【００８５】
図１３はかかる録画処理を行なうようにした図１０におけるステップ４０３や図１１におけるステップ４１３の他の具体例を示すフローチャートであって、この具体例を携帯用録画処理４３０として示している。
【００８６】
同図において、携帯端末用録画処理４３０では、図２，図３のチューナ部１０２（または、チューナ部１０９）から録画予約番組の番組データを一定量取得すると（ステップ４３１）、この一定量の番組データを録画予約データ２１０の信号形式情報２１６（図５）で特定されるフォーマットに変換し（即ち、携帯端末１６０用に録画処理し）、変換した分だけを主記憶部１０４またはＨＤＤ１０７に追加保存する（ステップ４３２）。また、ステップ４３１で取得した番組データを用いて、ダイジェストデータを作成し、主記憶部１０４またはＨＤＤ１０７に作成した分だけを追加保存する（ステップ４３３）。かかる処理を録画予約データ２１０の終了日時情報２１４で指定されるこの録画予約番組の終了時刻を過ぎるまで実行する（ステップ４３４）。この終了時刻が経過すると、携帯端末１６０用に録画処理された録画番組データが主記憶部１０４またはＨＤＤ１０７に記録されたことになり、録画データ管理テーブル２３０を、図１２でのステップ４２４と同様にして、更新する（ステップ４３５）。
【００８７】
以上のようにして、携帯端末１６０用に録画処理されて主記憶部１０４またはＨＤＤ１０７に記録された録画番組データは、携帯端末１６０にデータ転送されて使用されるのであるが、以下、このデータ転送処理について説明する。
【００８８】
図１４は録画機１００でのかかるデータ転送処理の一具体例を示すフローチャートであって、ここでは、この処理をデータ転送処理４４０として、図２または図３に示す録画機１００のリムーバブルメディア制御部１０８にリムーバブルメディア１７０が装着されると自動的に、あるいは、リムーバブルメディア制御部１０８にリムーバブルメディア１７０が装着された後、リモコンなどによるユーザの指示操作により、起動されるものである。以下では、このリムーバブルメディア１７０はＳＤカードであるものとして説明する。
【００８９】
同図において、データ転送処理４４０が起動すると、まず、ＣＰＵ１０１は、装着されたＳＤカード１７０から機器ＩＤを読み取り（ステップ４４１）、次いで、録画データ管理テーブル２３０（図９）に登録されている全ての録画管理データ２４０について、処理が完了したか否かを確認する（ステップ４４２）。全ての録画管理データ２４０について処理が完了している場合には、処理を終了する。この処理が完了したか否かの確認は、録画番組管理テーブル２３０（図９）に登録されている全ての録画管理データ２４０の状態２４６でもって行なうものであり、全ての録画管理データ２４０で状態２４６が「転送済」である場合、録画データ管理テーブル２３０に登録されている全ての録画管理データ２４０が処理完了として、このデータ転送処理４４０を終了する。
【００９０】
未処理の録画管理データ２４０がある場合（即ち、録画データ管理テーブル２３０に登録されている録画管理データ２４０のうちの１つでも、その状態２４６が「未転送」である場合：ステップ４４２）には、その録画管理データ２４０の機器ＩＤ２４２とＳＤカード１７０から読み取った機器ＩＤ（ステップ４４１）とが一致するか否かを判定する（ステップ４４３）。一致しない場合、その録画管理データ２４０を処理済みとして、ステップ４４２に戻る。一致する場合には、その録画管理データ２４０の状態２４６を確認する（ステップ４４４）。この状態２４６が「転送済」である場合には、その録画管理データ２４０を処理済みとして、ステップ４４２に戻る。状態２４６が「未転送」である場合には、この録画管理データ２４０のコンテンツ２４３で特定される録画番組のファイルと、ダイジェスト２４４で特定されるその録画番組のダイジェストデータとをＳＤカード１７０に転送する（ステップ４４５）。そして、この録画管理データ２４０の状態（ステータス）２４６を「転送済」に更新し（ステップ４４６）、この録画管理データ２４０を処理済みとして、ステップ４４２に戻る。
【００９１】
未処理の録画管理データ２４０毎に以上の処理を行ない、全ての未処理の録画管理データ２４０毎に以上の処理が終了すると、処理が完了したとして（（ステップ）４４２）、このデータ転送処理４４０を終了する。
【００９２】
以上のデータ転送処理４４０により、特定の携帯端末１６０から番組の録画予約した場合、録画予約データ２１０にこの携帯端末１６０の機器ＩＤが設定されてこの携帯端末１６０用に録画処理がされ、録画予約した携帯端末１６０用のＳＤカード１７０を録画機１００に差し込むだけで、あるいはさらに簡単な操作をするだけで、簡単にこの録画番組データをＳＤカード１７０に転送して、携帯端末１６０で利用することができるようになる。
【００９３】
また、録画番組データが転送されるときに、同時にそのダイジェストを視聴するためのダイジェストデータも転送されるから、携帯端末１６０で録画番組のダイジェストも視聴することが可能となる。一般的に、ダイジェストデータの作成には、膨大な処理能力が必要であり、携帯端末１６０の処理能力では困難であるが、この実施形態では、携帯端末１６０よりも処理能力の高い録画機１００で予め作成されるものであるから、携帯端末１６０で作成しなくとも、録画番組のダイジェストを携帯端末１６０でも視聴可能となる。
【００９４】
また、先に説明したように、携帯端末用録画処理４２０（図１２）のステップ４２４や携帯端末用録画処理４３０（図１３）のステップ４３５では、録画予約管理テーブル２２０（図８）での録画予約データ２１０に付与されたＩＤ２２１とＩＤ２４１が同一である録画管理データ２４０が録画番組管理テーブル２３０（図９）に登録されているかをチェックし、登録されていれば、録画管理データ２４０の上書きを行なうようにして更新することにより、繰り返し録画が指定された（即ち、図５に示す録画予約データ２１０の繰り返し情報２１５で繰り返し録画が指定された）録画番組のファイルは、録画管理データ２４０上で同一の識別子（ＩＤ２４１）を持つようにすることができる。
【００９５】
このように、録画管理データ２４０の識別子（ＩＤ２４１）が同一となる繰り返し録画される録画番組である場合、ＳＤカード１７０上では、そこに転送されたかかる録画番組データは、次に録画されて転送されてくる録画管理データ２４０の識別子（ＩＤ２４１）が同じかかる録画番組データで上書きされることにより、古いデータとして削除するようにすることもできる。これは、ＳＤカード１７０にも、録画番組を管理するための録画番組管理テーブルを保存することによって可能となる。
【００９６】
図１５はＳＤカードなどのリムーバブルメディア１７０上の録画番組管理テーブルの一具体例を示す図であって、ここでは、この録画番組管理テーブルを録画番組管理テーブル２６０として示している。
【００９７】
同図において、録画データ管理テーブル２６０は、録画管理データ２７０によって構成され、各録画管理データ２７０はＩＤ２７１，コンテンツ２７３，ダイジェスト２７４及び更新日時２７５によって構成されている。ここで、ＩＤ２７１は、録画管理データ２７０を識別するための識別子である。コンテンツ２７３は、録画管理データ２７０で管理する録画番組の識別子であり、例えば、この録画番組のファイル名である。ダイジェスト２７４は、コンテンツ２７３で特定される録画番組のダイジェストデータの識別子であり、例えば、ダイジェストデータを格納したファイルのファイル名である。なお、ダイジェストデータが存在しない場合、ダイジェスト２７４も保存されない。更新日時２７５は、コンテンツ２７３で特定される録画番組をリムーバブルメディア１７０上で更新した日付である。
【００９８】
図１６はリムーバブルメディア１７０に設けられた録画番組管理テーブル２６０を利用した録画機１００でのデータ転送処理の一具体例を示すフローチャートであって、ここでは、この処理をデータ転送処理４５０として、図２または図３に示す録画機１００のリムーバブルメディア制御部１０８にリムーバブルメディア１７０が装着されると自動的に、あるいは、リムーバブルメディア制御部１０８にリムーバブルメディア１７０が装着された後、リモコンなどによるユーザの指示操作により、起動されるものである。以下では、このリムーバブルメディア１７０はＳＤカードであるものとして説明する。
【００９９】
図１６において、ステップ４４１〜４４４は図１４におけるステップ４４１〜４４４と処理が同様であるので、その説明を省略する。
【０１００】
ＳＤカード１７０から読み取った機器ＩＤと一致し（ステップ４４２）、かつ状態が「未転送」（ステップ４４４）である録画管理データ２４０があると、この録画管理データ２４０のＩＤ２４１に等しいＩＤ２７１を持つ録画管理データ２７０がＳＤカード１７０に保存されている録画データ管理テーブル２６０（図１５）に登録されているか否かを確認する（ステップ４５１）。登録されている場合には（ステップ４５１で「Ｙ」）、ＳＤカード１７０で以前に転送されてきて保存されているこの録画管理データ２７０のコンテンツ２７３及びダイジェスト２７４で特定される録画番組のデータやダイジェストデータを削除し（ステップ４５２）、録画管理データ２４０のコンテンツ２４３及びダイジェスト２７４で特定される録画番組のデータやダイジェストデータを主記憶部１０４またはＨＤＤ１０７（図２または図３）から読み出し、リムーバブルメディア制御部１０８からＳＤカード１７０に転送する（ステップ４４５）。登録されている場合には（ステップ４５１で「Ｎ」）、直接ステップ４４５に進む。これとともに、図１４でのステップ４４６と同様、録画機１００において、録画番組管理テーブル２３０（図９）での上記該当する録画管理データ２４０の状態２４６を「転送済」に更新する（ステップ４４６）。しかる後、ＳＤカード１７０での録画データ管理テーブル２６０を更新する（ステップ４５３）。
【０１０１】
ＳＤカード１７０での録画データ管理テーブル２６０の更新としては、録画管理データ２４０のＩＤ２４１と同一の識別子を有する録画管理データ２７０がこの録画データ管理テーブル２６０に登録されている場合には、この録画管理データ２７０の内容を新たな録画管理データ２７０でもって上書きし、登録されていない場合には、新規に録画管理データ２７０を録画データ管理テーブル２６０に追加する。この上書き更新，追加更新のいずれにおいても、録画管理データ２７０のＩＤ２７１には、録画管理データ２４０（図９）のＩＤ２４１を、コンテンツ２７３には、転送された録画番組のＳＤカード１７０上でのファイル名を、ダイジェスト２７４には、この録画番組のダイジェストデータのＳＤカード１７０上でのファイル名を夫々保存する。
【０１０２】
以上のように、上記実施形態では、繰り返し録画の場合、古い録画番組データを自動的に削除し、常に最新の録画番組データのみをＳＤカード１７０に保存するようにすることができる。
【０１０３】
ところで、以上の説明では、ＳＤカード１７０にこれが使用される携帯端末１６０の機器ＩＤを登録されていることを前提としているが、この機器ＩＤは、携帯端末１６０で最初に録画予約を行なうタイミングで書き込むようにすればよい。また、別の方法としては、ＳＤカード１７０を初期化した時に書き込むという方法もある。
【０１０４】
なお、ＳＤカード１７０に機器ＩＤが登録されていない場合には、録画管理データ２４０（図９）に機器ＩＤ２４１が付与され（即ち、携帯端末向けに録画処理された録画番組に対するもの）、かつ状態２４６が「未転送」の全ての録画番組をこのＳＤカード１７０に転送できるようにしてもよいし、また、逆にいずれの録画番組もこのＳＤカード１７０に転送できないようにしてもよい。この全ての録画番組をＳＤカード１７０に転送できるようにする場合には、図１４及び図１６でのデータ転送処理４４０，４５０において、ステップ４４３の処理を省くようにすればよいし、この全ての録画番組をＳＤカード１７０に転送できないようにする場合には、同じくステップ４４１において、ＳＤカード１７０から機器ＩＤが読み出せない場合、データ転送処理４４０，４５０が終了するようにすればよい。
【０１０５】
また、以上の実施形態では、録画予約データ２１０（図５）の機器ＩＤ２１１など機器ＩＤには、携帯端末１６０の識別子として、電話番号や携帯端末固有のシリアル番号を使用したが、録画機１００でリムーバブルメディア１７０毎に識別子を生成し、その識別子を機器ＩＤに使用することも可能である。
【０１０６】
その場合、録画機１００に挿入されたリムーバブルメディア１７０に機器ＩＤがない場合、録画機１００が、リムーバブルメディア１７０の識別情報として、端末ＩＤを書き込むようにする。また、携帯端末１６０では、録画予約データ２１０の作成時に、リムーバブルメディア１７０からその端末ＩＤを読み出し、録画予約データ２１０の機器ＩＤ２１１にこの端末ＩＤを保存するようにする。録画機１００で録画予約データ２１０を作成する場合には、録画予約画面３６０（図７（ｂ））の対象機器情報入力欄３６５で、機器を指定する代わりに、記録するリムーバブルメディア１７０を指定するようにすればよい。
【０１０７】
以上の実施形態では、リムーバブルメディア１７０には、そこに登録されている機器ＩＤに対応した録画番組しか転送しないようにすることができるため、上記のような処理を行なうことにより、例えば、ＳＤカード１７０毎にユーザが録画する番組を分けたりすることが可能となる。
【０１０８】
また、以上の実施形態では、リムーバブルメディアであるＳＤカード１７０を介して録画番組データを転送する例を示したが、録画機１００と携帯端末１６０とが互いに無線ＬＡＮなどの近距離通信機能を有する場合、ＳＤカード１７０を介ことなく、録画機１００から携帯端末１６０に録画番組データを転送することが可能である。この場合の方式としては、録画機１００がマスターになる方法と、携帯端末１６０がマスターになる方法の２つの方法がある。
【０１０９】
まず、録画機１００がマスターになる方法について説明する。
【０１１０】
録画機１００がマスターである場合、例えば、携帯電話１６０がファイルサーバ、録画機１００がクライアントとなるようにする。そして、ＳＤカードが挿入されたときではなく、携帯端末１６０と無線ＬＡＮで通信ができるようになったとき、あるいはユーザの操作により、録画機１００において、データ転送処理４４０（図１４）が実行開始されるようにする。この場合、このデータ転送処理４４０では、ステップ４４１において、機器ＩＤをＳＤカード１７０から読み出す代わりに、携帯端末１００から読み出すようにする。また、ステップ４４５において、ＳＤカード１７０に録画番組データを転送する代わりに、携帯端末１６０に録画番組データを転送するようにする。
【０１１１】
次に、携帯端末１６０がマスターになる方法について説明する。
【０１１２】
携帯端末１６０がマスターである場合、例えば、録画機１００がファイルサーバ、携帯端末１６０がクライアントとなるようにする。そして、録画機１００でデータ転送処理４４０（図１４）を実行する代わりに、携帯端末１６０で図１７に示すデータ転送処理５００を実行するようにする。なお、このデータ転送処理５００は、携帯端末１６０と録画機１００との間で無線ＬＡＮで通信ができるようになったとき、あるいはユーザの操作により実行するようにする。
【０１１３】
データ転送処理５００が起動すると、まず、携帯端末１６０において、主記憶部１６４（図４）からそれ自身の機器ＩＤが読み出される（ステップ５０１）。次に、録画機１００から録画番組管理テーブル２３０（図９）を読み取り、これに登録されている全ての録画管理データ２４０について、図１４，図１６でのステップ４４２と同様、処理が完了したか否かを確認する（ステップ５０２）。全ての録画管理データ２４０で処理が完了している場合には（ステップ５０２の「Ｙ」）、このデータ転送処理５００を終了する。
【０１１４】
未処理の録画管理データ２４０がある場合には（ステップ５０２の「Ｎ」）、この未処理の録画管理データ２４０の機器ＩＤ２４２とステップ４４１で読み出した機器ＩＤとが一致するか否かを判定する（ステップ５０３）。一致しない場合には、この録画管理データ２４０を処理済みとしてステップ５０２に戻る。一致する場合には、録画管理データ２４０の状態２４６を確認し（ステップ５０４）、状態２４６が「転送済」である場合には、この録画管理データ２４０を処理済みとしてステップ５０２に戻り、状態２４６が「未転送」である場合には、この録画管理データ２４０のコンテンツ２４３で特定される録画番組のファイルとダイジェスト２４４で特定されるこの録画番組のダイジェストデータとを録画機１００の主記憶部１０４またはＨＤＤ１０７（図２または図３）から読み出し、携帯端末１６０の主記憶部１６４または外部記憶部１６５のメディア内に保存する（ステップ５０５）。これとともに、録画機１００の録画番組管理テーブル２３０（図９）での該当する録画管理データ２４０を「処理済」に更新させ（ステップ５０６）、てステップ５０２に戻る。
【０１１５】
なお、ここでは、近距離通信手段として無線ＬＡＮを使用した例を説明したが、これに限らず、Bluetoothなどの無線通信手段、あるいはUSBなどの有線通信手段を利用するようにしても何ら問題はない。
【０１１６】
以上の処理により、リムーバブルメディアの代わりに、近距離の通信手段を用いても、携帯端末１６０用に録画したデータを携帯端末１６０に転送することが可能となる。
【図面の簡単な説明】
【０１１７】
【図１】本発明による録画機及び携帯端末を用いたシステムの概要構成を示す図である。
【図２】本発明による録画機の一実施形態を示すブロック図である。
【図３】本発明による録画機の他の実施例を示すブロック図である。
【図４】本発明による携帯端末の一実施形態を示すブロック図である。
【図５】本発明による録画機及び携帯端末に用いる録画予約データの一具体例を示す図である。
【図６】図４に示す携帯端末での図５に示す録画予約データを作成するための録画予約画面の一具体例を示す図である。
【図７】図２または図３に示す録画機での図５に示す録画予約データを作成するための画面の一具体例を示す図である。
【図８】図２または図３に示す録画機での録画予約管理テーブルの一具体例を示す図である。
【図９】図２または図３に示す録画機での録画番組管理テーブルの一具体例を示す図である。
【図１０】図２または図３に示す録画機での録画処理の一具体例を示すフローチャートである。
【図１１】図２または図３に示す録画機での録画処理の他の具体例を示すフローチャートである。
【図１２】図１０におけるステップ４０３及び図１１におけるステップ４１３の一具体例を示すフローチャートである。
【図１３】図１０におけるステップ４０３及び図１１におけるステップ４１３の他の具体例を示すフローチャートである。
【図１４】図２または図３に示す録画機でのリムーバブルメディアへの録画番組データのデータ転送処理の一具体例を示すフローチャートである。
【図１５】図２または図３に示す録画機から録画番組データが転送されるリムーバブルメディアでの録画番組管理テーブルの一具体例を示す図である。
【図１６】図２または図３に示す録画機でのリムーバブルメディアへの録画番組データのデータ転送処理の他の具体例を示すフローチャートである。
【図１７】図４に示す携帯端末での図２または図３に示す録画機からの録画番組データのデータ転送処理の一具体例を示すフローチャートである。
【符号の説明】
【０１１８】
１００  録画機
１２０  インターネット
１３０  携帯電話通信網
１４０  アンテナ
１５０  放送送出設備
１６０  携帯端末
１７０  リムーバブルメディア
２１０  録画予約データ
２２０  録画予約管理テーブル
２３０，２６０  録画番組管理テーブル
３００  録画予約画面
３５０  ＥＰＧ（電子番組表）画面
３６０  録画予約画面
【図１】
2007151042.tif 000003
【図２】
2007151042.tif 000004
【図３】
2007151042.tif 000005
【図４】
2007151042.tif 000006
【図５】
2007151042.tif 000007
【図６】
2007151042.tif 000008
【図７】
2007151042.tif 000009
【図８】
2007151042.tif 000010
【図９】
2007151042.tif 000011
【図１０】
2007151042.tif 000012
【図１１】
2007151042.tif 000013
【図１２】
2007151042.tif 000014
【図１３】
2007151042.tif 000015
【図１４】
2007151042.tif 000016
【図１５】
2007151042.tif 000017
【図１６】
2007151042.tif 000018
【図１７】
2007151042.tif 000019